(57)【特許請求の範囲】
【請求項１】
薄肉容器を保持するホルダーであって、
内側に前記薄肉容器を収容する空間が形成された自立可能なスタンド部と、該スタンド部に連結部を介してそれぞれ連結されて該連結部回りにそれぞれ回転可能な一対のアームからなるクリップ部と、を備えており、
該一対のアームには、前記薄肉容器の注出口を両側から挟んで閉塞する留め部と、該留め部に連結されて前記スタンド部の外側に配置された操作レバー部と、がそれぞれ備えられており、
前記連結部が弾性的に折り曲げ変形されており、該連結部の復元力によって前記留め部同士が互いに押し付け合う方向に前記一対のアームがそれぞれ付勢されていることを特徴とするホルダー。
【発明の詳細な説明】
【技術分野】
【０００１】
本発明は、例えばパウチ等の薄肉容器を保持するホルダーに関するものである。
【背景技術】
【０００２】
この種のホルダーとして、従来、例えば下記特許文献１に示すような、薄肉容器の側縁部を挟持する一対の当接部材と、一対の当接部材の上端部に紐部を介して連結された帽体と、を備えた構成が知られている。前記した帽体は、薄肉容器の注出口に脱着可能に被着されるキャップ体であり、この帽体によって薄肉容器の注出口が閉塞される。上記した構成のホルダーによれば、注出口に被着された帽体を外すことで注出口が開放され、注出口から薄肉容器内の内容物を注出することができる。また、内容物の注出後に、注出口に帽体を被着させることで注出口が閉塞される。
【先行技術文献】
【特許文献】
【０００３】
【特許文献１】特開２００１−３１１１７号公報
【発明の概要】
【発明が解決しようとする課題】
【０００４】
しかしながら、上記した従来のホルダーでは、注出口を開閉する際の帽体の脱着作業が煩雑であり、薄肉容器のホルダーにおける操作性の改善が求められていた。
【０００５】
本発明は、上記した従来の問題が考慮されたものであり、薄肉容器の注出口を容易に開閉することができ、操作性の良いホルダーを提供することを目的としている。
【課題を解決するための手段】
【０００６】
本発明に係るホルダーは、薄肉容器を保持するホルダーであって、内側に前記薄肉容器を収容する空間が形成された自立可能なスタンド部と、該スタンド部に連結部を介してそれぞれ連結されて該連結部回りにそれぞれ回転可能な一対のアームからなるクリップ部と、を備えており、該一対のアームには、前記薄肉容器の注出口を両側から挟んで閉塞する留め部と、該留め部に連結されて前記スタンド部の外側に配置された操作レバー部と、がそれぞれ備えられており、前記連結部が弾性的に折り曲げ変形されており、該連結部の復元力によって前記留め部同士が互いに押し付け合う方向に前記一対のアームがそれぞれ付勢されていることを特徴としている。
【０００７】
このような特徴により、自立可能なスタンド部の内側空間に薄肉容器が収容されることで、薄肉容器が安定した状態で置かれる。また、一対のアームの留め部によって薄肉容器の注出口を挟むことで、注出口が閉塞される。このとき、一対のアームは、弾性的に折り曲げ変形した連結部を介してスタンド部にそれぞれ連結され、連結部の復元力によって両側の留め部同士が互いに押し付け合う方向にそれぞれ付勢されているため、両側の留め部によって薄肉容器の注出口が相当に強い力で挟まれ、注出口が確実に閉塞される。
【０００８】
また、上記した薄肉容器の内側に収容された内容物を注出する際には、一対のアームの操作レバー部を操作して、両側の留め部が互いに離間する方向に一対のアームを連結部回りにそれぞれ回転させる。これにより、両側の留め部が開かれて薄肉容器の注出口が開放され、その注出口から薄肉容器内の内容物が注出される。また、内容物を注出した後、操作レバー部の操作を解除することで、連結部の復元力により、両側の留め部同士が互いに近接する方向に一対のアームが連結部回りにそれぞれ回転する。これにより、両側の留め部が閉じられ、薄肉容器の注出口が両側の留め部で挟まれて閉塞される。
【発明の効果】
【０００９】
本発明に係るホルダーによれば、薄肉容器の注出口を容易に開閉することができ、操作性を向上させることができる。
【図面の簡単な説明】
【００１０】
【図１】本発明の実施の形態を説明するためのホルダーの斜視図である。
【図２】本発明の実施の形態を説明するためのホルダーの側面図である。
【図３】本発明の実施の形態を説明するためのホルダーの前面図である。
【図４】本発明の実施の形態を説明するためのホルダーの上面図である。
【図５】本発明の実施の形態を説明するためのホルダーの展開図である。
【発明を実施するための形態】
【００１１】
以下、本発明に係るホルダーの実施の形態について、図面に基いて説明する。
図１に示すホルダー１は、例えばパウチ容器等のような自立しにくい可撓性を有する袋状の薄肉容器１０（図２に示す）を保持する合成樹脂製の保持具である。
なお、本実施の形態では、薄肉容器１０の注出口１１側（図２における左側）を「前方」とし、その反対側（図２における右側）を「後方」とする。また、前後方向に直交する水平方向（図３における横方向）を「左右方向」とする。
【００１２】
図１、図２に示すように、ホルダー１の概略構成としては、内側に薄肉容器１０を収容する空間が形成された自立可能なスタンド部２と、スタンド部２の後述する支持部４２の前端部分に設けられたクリップ部３と、を備えている。
【００１３】
スタンド部２は、薄肉容器１０の下端部、後方側の側端部及び上端部を覆う外殻部であり、図３に示すように、左右対称な一対の側壁部４Ａ，４Ｂからなる。これら一対の側壁部４Ａ，４Ｂは、左右方向に間隔をあけて配設されており、一対の側壁部４Ａ，４Ｂの間には、薄肉容器１０を収容する空間が形成されている。
図１〜図３に示すように、上記した一対の側壁部４Ａ，４Ｂには、下端面が接地される台座部４０と、台座部４０の後端部から立設したフレーム部４１と、フレーム部４１の上端に配設されて薄肉容器１０の上端部を支持する支持部４２と、がそれぞれ備えている。
【００１４】
上記した台座部４０は、図４に示すように、前後方向に延在すると共に平面視円弧状に湾曲された壁部であり、両側の台座部４０，４０は、左右対称に対向配置され、平面視において略扁平円形状に配置されている。
上記したフレーム部４１は、図４に示すように、上下方向に延在すると共に平面視において台座部４０に沿って湾曲した壁部であり、両側のフレーム部４１，４１の間隔は、後端から前方に向かうに従い漸次拡幅されている。また、フレーム部４１の上部は、図３に示すように、上方に向かって左右方向内側に傾斜しており、両側のフレーム部４１，４１の上部の間隔は、上方に向かうに従い漸次縮幅されている。
上記した支持部４２は、図４に示すように、フレーム部４１の上端から前方側に向かって延在した平板状の板部であり、一対の支持部４２，４２は、それぞれ平行に対向配置されている。
【００１５】
また、図１〜図４に示すように、支持部４２の外縁には、スタンド部２の左右方向内側に向かって突出した外縁壁部４３が形成されている。この外縁壁部４３は、支持部４２の後方側の縁部の下端から支持部４２の縁部に沿って支持部４２の上方側の縁部の前端まで延在した帯状の壁部であり、一対の支持部４２，４２の外縁壁部４３，４３同士は全長に亘って互いに突き合わされている。
【００１６】
また、図２〜図４に示すように、一方の側壁部４Ａの支持部４２の内面には、円筒形状の嵌合筒部４４が突設されており、他方の側壁部４Ｂの支持部４２の内面には、上記した嵌合筒部４４の内側に嵌合された円筒形状の嵌合部４５が突設されている。これら嵌合筒部４４及び嵌合部４５は、支持部４２の上部に間隔をあけてそれぞれ複数（本実施の形態では２つ）設けられており、これら複数の嵌合筒部４４及び嵌合部４５によって、一対の側壁部４Ａ，４Ｂ同士が連結されている。また、複数の嵌合筒部４４が、薄肉容器１０の上端縁部１２に形成された留め穴にそれぞれ挿通されることで、薄肉容器１０が支持される。
【００１７】
また、一方の側壁部４Ａの支持部４２の内面には、嵌合筒部４４の周りに放射状に配置された複数の羽根部４６が突設されており、他方の側壁部４Ｂの支持部４２の内面にも、嵌合部４５の周りに放射状に配置された複数の羽根部４６が突設されている。これらの羽根部４６，４６は、各々の先端面同士が対向する位置にそれぞれ配設されており、これら羽根部４６，４６の間に薄肉容器１０の上端縁部１２が挟持される。
【００１８】
また、一対の側壁部４Ａ，４Ｂの後方側の縁部同士がヒンジ部４７を介して連結されている。なお、前記したヒンジ部４７は、側壁部４Ａ，４Ｂの後方側の縁部に沿って延在した折り曲げ変形可能な薄肉の連結部であり、このヒンジ部４７を介して一対の側壁部４Ａ，４Ｂが一体に形成されていると共に、ヒンジ部４７回りに一対の側壁部４Ａ，４Ｂが相対的に回転可能となっている。
また、一対の側壁部４Ａ，４Ｂの支持部４２の外面には、後述するクリップ部３の操作レバー部５１の回転操作を制限するストッパー部４８が突設されている。このストッパー部４８は、支持部４２の下端から上方に向かって延在する凸部であり、支持部４２の前部に配設されている。
【００１９】
図１〜図４に示すように、クリップ部３は、薄肉容器１０の注出口１１を挟んで閉塞する閉塞部材であり、左右対称な一対のアーム５Ａ，５Ｂからなる。
これら一対のアーム５Ａ，５Ｂには、支持部４２の前方側に配設された留め部５０と、留め部５０の後端部に連結された操作レバー部５１と、がそれぞれ備えられている。
【００２０】
上記した留め部５０は、図１に示すように、薄肉容器１０の注出口１１を両側から挟んで閉塞するための略矩形状の平板部であり、この留め部５０の内側面の前部には、内側面の後部に対して傾斜した当接面５２が形成されている。そして、両側の留め部５０，５０は、図４に示すように、各々の当接面５２，５２同士が重ね合った状態で平面視略Ｖ字状に配設されており、両側の留め部５０，５０の当接面５２，５２の間に薄肉容器１０の注出口１１が挟み込まれることで注出口１１が閉塞される。
【００２１】
上記した操作レバー部５１は、留め部５０，５０を開ける操作を行うための板部であり、スタンド部２の支持部４２の左右方向外側に配設されている。また、操作レバー部５１は、図４に示すように、平面視において台座部４０に沿って略円弧状に湾曲されて台座部４０と重なる位置に配設されており、上記したストッパー部４８との間に隙間をあけて配設されている。
【００２２】
また、上記した一対のアーム５Ａ，５Ｂは、スタンド部２に連結部６を介してそれぞれ連結されている。連結部６は、側壁部４Ａ，４Ｂの前方側の縁部に沿って延在した薄肉部であり、この連結部６を介してアーム５Ａ，５Ｂがスタンド部２と一体に形成されていると共に、連結部６回りにアーム５Ａ，５Ｂがスタンド部２に対して相対的に回転可能となっている。また、前記した連結部６は、弾性的に折り曲げ変形した状態になっており、この連結部６の復元力によって留め部５０，５０同士が互いに押し付け合う方向に一対のアーム５Ａ，５Ｂがそれぞれ付勢されている。
【００２３】
上記した構成のホルダー１は、成形時において、図５に示すように、一対の側壁部４Ａ，４Ｂが開かれた状態で形成される。このとき、連結部６を介して一対の側壁部４Ａ，４Ｂにそれぞれ連結された一対のアーム５Ａ，５Ｂを、側壁部４Ａ，４Ｂに対して交差（例えば直交）する向きで成形する。つまり、平面視において、留め部５０が側壁部４Ａ，４Ｂの内面側に向かって突出すると共に操作レバー部５１が側壁部４Ａ，４Ｂの外面側に突出するような向きで、一対のアーム５Ａ，５Ｂを成形する。
【００２４】
そして、組立時において、図５に示すように、まず、一対のアーム５Ａ，５Ｂを側壁部４Ａ，４Ｂに対して相対的に連結部６回りにそれぞれ回転させる。続いて、ヒンジ部４７回りに一対の側壁部４Ａ，４Ｂを相対的に回転させ、嵌合筒部４４の内側に嵌合部４５を嵌合させて一対の側壁部４Ａ，４Ｂを閉じ合わせる。これにより、連結部６が、弾性的に折り曲げ変形した状態になり、この連結部６の復元力によって留め部５０，５０同士が互いに押し付け合う方向に一対のアーム５Ａ，５Ｂがそれぞれ付勢される。
【００２５】
次に、上記した構成からなるホルダー１の作用について説明する。
【００２６】
上述したようにホルダー１を組み立てる際に、薄肉容器１０の上端縁部１２に形成された留め穴に嵌合筒部４４を挿通させながら、一対の側壁部４Ａ，４Ｂの間に薄肉容器１０を挟み込ませると、薄肉容器１０の上端縁部１２が支持部４２で支持された状態で、薄肉容器１０が自立可能なスタンド部２の内側の空間に収容される。これにより、自立不安定な薄肉容器１０が安定した状態で置かれる。
【００２７】
また、一対のアーム５Ａ，５Ｂの留め部５０，５０によって薄肉容器１０の注出口１１を挟むことで、注出口１１が閉塞される。このとき、一対のアーム５Ａ，５Ｂが、弾性的に折り曲げ変形した連結部６，６を介してスタンド部２にそれぞれ連結され、連結部６，６の復元力によって両側の留め部５０，５０同士が互いに押し付け合う方向にそれぞれ付勢されているため、両側の留め部５０，５０によって薄肉容器１０の注出口１１が相当に強い力で挟まれ、注出口１１が確実に閉塞される。
【００２８】
また、上記した薄肉容器１０内の内容物を注出する際には、一対のアーム５Ａ，５Ｂの操作レバー部５１，５１をそれぞれ左右方向内側に押圧する。これにより、一対のアーム５Ａ，５Ｂが、両側の留め部５０，５０が互いに離間する方向にそれぞれ連結部６回りに回転し、両側の留め部５０，５０が開かれる。その結果、薄肉容器１０の注出口１１が開放される。そして、操作レバー部５１，５１を押圧したまま、薄肉容器１０をホルダー１ごと前方に傾けることで、薄肉容器１０内の内容物が注出口１１から注出される。
【００２９】
また、内容物を注出した後は、操作レバー部５１，５１の押圧を解除する。これにより、連結部６，６の復元力により、一対のアーム５Ａ，５Ｂが、両側の留め部５０，５０同士が互いに近接する方向にそれぞれ連結部６，６回りに回転し、両側の留め部５０，５０が閉じられる。その結果、薄肉容器１０の注出口１１が両側の留め部５０，５０で挟まれて閉塞される。
【００３０】
上記したホルダー１によれば、操作レバー部５１，５１を押圧するだけで薄肉容器１０の注出口１１が開放され、その押圧を解除するだけで注出口１１が閉塞されるので、薄肉容器１０の注出口１１を容易に開閉することができ、操作性を向上させることができる。
【００３１】
また、クリップ部３の留め部５０，５０によって薄肉容器１０の注出口１１を挟むことで注出口１１が閉塞されて薄肉容器１０が封緘されるので、薄肉容器１０内の内容物がこぼれ出たり薄肉容器１０内の内容物が空気に晒されて劣化したりする不具合を防止することができる。
特に、上記したホルダー１では、クリップ部３の一対のアーム５Ａ，５Ｂが、弾性的に折り曲げ変形した連結部６，６の復元力により、薄肉容器１０の注出口１１が相当に強い力で挟まれるため、注出口１１を確実に閉塞することができ、注出口１１のシール性を向上させることができる。
【００３２】
以上、本発明に係るホルダーの実施の形態について説明したが、本発明は上記した実施の形態に限定されるものではなく、その趣旨を逸脱しない範囲で適宜変更可能である。
例えば、上記した実施の形態では、袋状の薄肉容器１０に装着されるホルダー１について説明しているが、本発明は、ブロー成形等によって成形されたボトル状の薄肉容器に使用するホルダーであってもよい。
【００３３】
また、上記した実施の形態では、平面視略扁平円形状のホルダー１について説明しているが、本発明のホルダーの形状は適宜変形可能であり、例えば、平面視矩形状や円形状、長方円形状のホルダーであってもよい。
【００３４】
また、上記した実施の形態では、一対の側壁部４Ａ，４Ｂがヒンジ部４７を介して一体に形成されており、ホルダー１が１つの部品で形成されているが、本発明は、一対の側壁部４Ａ，４Ｂをそれぞれ別々に成形してもよく、２つ以上の部品からなるホルダーであってもよい。
【００３５】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００３６】
１  ホルダー
２  スタンド部
３  クリップ部
５Ａ，５Ｂ  アーム
５０  留め部
５１  操作レバー部
６  連結部
１０  薄肉容器
１１  注出口
【図１】
0005470213.tif 000002
【図２】
0005470213.tif 000003
【図３】
0005470213.tif 000004
【図４】
0005470213.tif 000005
【図５】
0005470213.tif 000006